(57)【要約】【課題】レンズ交換式のカメラシステムにおいて、様々な種類の光学系を適切に機能させることができるアダプターを提供する。【解決手段】アダプターは、カメラボディを着脱可能な第１マウント部と、第１マウント部とは別に設けられており、交換レンズを着脱可能な第２マウント部と、第２マウント部に装着された前記交換レンズに供給する電圧を生成する電源部と、ソフトウェアプログラムを記憶する記憶部と、記憶部に記憶されているソフトウェアプログラムに従って電源部を制御して、交換レンズに対して給電せしめるアダプター制御部と、を備え、アダプター制御部は、ソフトウェアプログラムの更新を実行している期間も、交換レンズに対する給電を電源部に継続させる。【選択図】図３
2013068649.tif 000002
【特許請求の範囲】
【請求項１】
カメラボディを着脱可能な第１マウント部と、
前記第１マウント部とは別に設けられており、交換レンズを着脱可能な第２マウント部と、
前記第２マウント部に装着された前記交換レンズに供給する電圧を生成する電源部と、
ソフトウェアプログラムを記憶する記憶部と、
前記記憶部に記憶されている前記ソフトウェアプログラムに従って前記電源部を制御して、前記交換レンズに対して給電せしめるアダプター制御部と、を備え、
前記アダプター制御部は、
前記ソフトウェアプログラムの更新を実行している期間も、前記交換レンズに対する前記給電を前記電源部に継続させることを特徴とするアダプター。
【請求項２】
前記アダプター制御部は、
前記ソフトウェアプログラムの更新を実行している期間、前記第２マウント部に装着されている前記交換レンズの取り外しを抑止することを特徴とする請求項１に記載のアダプター。
【請求項３】
前記第２マウント部に装着された前記交換レンズの装着状態を保持する保持機構と、前記保持機構により前記装着状態が保持されている保持状態を解除する解除機構とを有するレンズ着脱機構、
を備えていることを特徴とする請求項１または請求項２に記載のアダプター。
【請求項４】
前記アダプター制御部は、
前記ソフトウェアプログラムの更新を実行している期間、前記保持機構により前記交換レンズの装着状態が保持されている前記保持状態を、前記解除機構により解除できないように制御することを特徴とする請求項３に記載のアダプター。
【請求項５】
前記アダプター制御部は、
前記保持機構により前記装着状態が保持されている前記保持状態を、前記解除機構により解除できないように制御した後に、前記ソフトウェアプログラムの更新を開始することを特徴とする請求項３または請求項４に記載のアダプター。
【請求項６】
前記アダプター制御部は、
前記ソフトウェアプログラムの更新が終了した場合、前記保持機構により前記装着状態が保持されている前記保持状態を、前記解除機構により解除可能なように制御することを特徴とする請求項５に記載のアダプター。
【請求項７】
前記保持機構により前記装着状態が保持されている前記保持状態を前記解除機構により解除できないように抑止する抑止機構、を備え、
前記アダプター制御部は、
前記抑止機構を制御することにより、前記解除機構により前記保持状態を解除できないように制御することを特徴とする請求項３から請求項６の何れか１項に記載のアダプター。
【請求項８】
前記第２マウント部に装着された前記交換レンズと電気的に接続される接続部を有し、
前記保持機構により前記装着状態が保持されている前記保持状態から、前記解除機構により前記保持状態が解除された場合、前記交換レンズに対して前記給電が可能な状態から不可能な状態となるように前記解除機構に連動して前記接続部を前記交換レンズと非導通状態にする連動機構、
を備えていることを特徴とする請求項３から請求項７の何れか１項に記載のアダプター。
【請求項９】
前記アダプター制御部は、
前記ソフトウェアプログラムの更新が完了した場合、および前記ソフトウェアプログラムの更新が完了せずに中断した場合の何れにおいても、前記ソフトウェアプログラムの更新を終了することを特徴とする請求項１から請求項８の何れか１項に記載のアダプター。
【請求項１０】
請求項１から請求項９の何れか１項に記載のアダプターと、
前記第１マウント部に装着された前記カメラボディと、
前記第２マウント部に装着された前記交換レンズと、
を備えることを特徴とするカメラシステム。
【請求項１１】
カメラボディを着脱可能な第１マウント部と、前記第１マウント部とは別に設けられており、交換レンズを着脱可能な第２マウント部と、を備えるアダプターに設けられているアダプター制御部の動作を制御するアダプター制御プログラムであって、
前記第２マウント部に装着された前記交換レンズに供給する電圧を電源部に生成させるステップと、
記憶部に記憶されているソフトウェアプログラムを更新するステップと、
前記ソフトウェアプログラムの更新を実行している期間も、前記交換レンズに対する前記給電を前記電源部に継続させるステップと、を有することを特徴とするアダプター制御プログラム。
【発明の詳細な説明】
【技術分野】
【０００１】
本発明は、アダプター、カメラシステム、およびアダプター制御プログラムに関する。
【背景技術】
【０００２】
カメラボディとカメラボディに着脱可能な交換レンズとを備えるレンズ交換式のカメラシステムがある（例えば、特許文献１参照）。
このレンズ交換式のカメラシステムにおいては、カメラボディに装着される交換レンズを変更することにより、様々な種類の光学系を介しての撮像が可能である。
【先行技術文献】
【特許文献】
【０００３】
【特許文献１】特開２００８−２７５８９０号公報
【発明の概要】
【発明が解決しようとする課題】
【０００４】
近年、デジタル方式のカメラシステムにおいては、従来よりもカメラボディのサイズが小型化された新しいレンズ交換式のカメラシステムが開発されている。
しかしながら、この新しいレンズ交換式のカメラシステムのカメラボディには、既存のカメラシステムの交換レンズを装着させて機能させることができない場合がある。
ところで、既存の交換レンズは、一般に広く普及している。そのため、新しいレンズ交換式のカメラシステムにおいて、様々な種類の光学系を介しての撮像を可能にするためには、既存の交換レンズも装着させて機能させることができるようになることが望まれている。
【０００５】
本発明は、このような事情に鑑みてなされたもので、その目的は、レンズ交換式のカメラシステムにおいて、様々な種類の光学系を適切に機能させることができるアダプター、カメラシステム、およびアダプター制御プログラムを提供することにある。
【課題を解決するための手段】
【０００６】
この発明は上述した課題を解決するためになされたもので、カメラボディを着脱可能な第１マウント部と、前記第１マウント部とは別に設けられており、交換レンズを着脱可能な第２マウント部と、前記第２マウント部に装着された前記交換レンズに供給する電圧を生成する電源部と、ソフトウェアプログラムを記憶する記憶部と、前記記憶部に記憶されている前記ソフトウェアプログラムに従って前記電源部を制御して、前記交換レンズに対して給電せしめるアダプター制御部と、を備え、前記アダプター制御部は、前記ソフトウェアプログラムの更新を実行している期間も、前記交換レンズに対する前記給電を前記電源部に継続させることを特徴とするアダプターである。
また、本発明は、上記記載のアダプターと、前記第１マウント部に装着された前記カメラボディと、前記第２マウント部に装着された前記交換レンズと、を備えることを特徴とするカメラシステムである。
また、本発明は、カメラボディを着脱可能な第１マウント部と、前記第１マウント部とは別に設けられており、交換レンズを着脱可能な第２マウント部と、を備えるアダプターに設けられているアダプター制御部の動作を制御するアダプター制御プログラムであって、前記第２マウント部に装着された前記交換レンズに供給する電圧を電源部に生成させるステップと、記憶部に記憶されているソフトウェアプログラムを更新するステップと、前記ソフトウェアプログラムの更新を実行している期間も、前記交換レンズに対する前記給電を前記電源部に継続させるステップと、を有することを特徴とするアダプター制御プログラムである。
【発明の効果】
【０００７】
この発明によれば、レンズ交換式のカメラシステムにおいて、様々な種類の光学系を適切に機能させることができる。
【図面の簡単な説明】
【０００８】
【図１】この発明の一実施形態によるカメラシステムの構成を示す斜視図である。
【図２】本実施形態によるアダプターの構成の一例を示す斜視図である。
【図３】本実施形態によるカメラシステムの構成の第１の例を示す概略ブロック図である。
【図４】本実施形態によるカメラシステムの構成の第２の例を示す概略ブロック図である。
【図５】本実施形態によるカメラシステムの構成の第３の例を示す概略ブロック図である。
【図６】本実施形態による交換レンズに係る処理の状態遷移の概要を示すフローチャートである。
【図７】ファームウェア更新処理の処理シーケンスの一例を示す図である。
【発明を実施するための形態】
【０００９】
以下、図面を参照して、本発明の実施の形態について説明する。
図１は、この発明の一実施形態によるカメラシステム１の構成を示す斜視図である。
図１に示すカメラシステム１は、レンズ交換式のカメラシステムであり、カメラボディ１００と、交換レンズ２００と、カメラボディ１００と交換レンズ２００との間に設けられ、カメラボディ１００と交換レンズ２００とに対してそれぞれ着脱可能に固定されるアダプター３００と、を備えている。
この図において、アダプター３００は、カメラボディ１００に装着されている。また、交換レンズ２００は、アダプター３００を介してカメラボディ１００に装着されている。
【００１０】
このカメラシステム１において、カメラボディ１００が備えているレンズマウントであるカメラボディ側マウント１０１の仕様と、交換レンズ２００が備えているレンズマウントであるレンズ側マウント２０１の仕様とは、互いに異なる仕様である。例えば、カメラボディ側マウント１０１の仕様とレンズ側マウント２０１の仕様とでは、マウント形状の仕様、電気的に接続される接続端子の仕様が互いに異なる。また、該接続端子を介して通信される通信規格や通信データの種類等も互いに異なる。そのため、交換レンズ２００をカメラボディ１００に直接装着することはできない。
そこで、アダプター３００は、カメラボディ１００と交換レンズ２００とを間接的に装着可能にするマウントアダプターとして構成されている。さらに、アダプター３００は、互いに異なる通信規格や通信データの種類を持つカメラボディ１００と交換レンズ２００との間で、それら通信規格等を変更すること無く、両者間の通信を可能とするように構成されている。
また、カメラボディ１００は、電源釦１３１と、レリーズ釦１３２と、背面操作部１３３と、表示部１５０と、を備えている。
電源釦１３１は、カメラボディ１００における主電源のオンとオフとを切替えるための操作部材である。
レリーズ釦１３２は、撮影処理開始の指示を受け付ける操作部材である。例えば、レリーズ釦１３２は、半押しされた状態（半押し状態、例えば、焦点調整、露出調整等を受け付ける状態）と全押しされた状態（全押し状態、例えば、露光開始の指示を受け付ける状態）との２種類の撮影処理開始の指示を受け付ける。
背面操作部１３３は、カメラボディ１００の筐体面のうちカメラボディ側マウント１０１を備えている面と反対面である背面に設けられている。背面操作部１３３は、例えば、動作モードの選択釦（例えば、モードダイヤル）、または、各種設定条件の選択釦（例えば、メニュー釦や上下左右選択釦）等の操作部材を含んで構成されている。
表示部１５０は、背面操作部１３３と同様に背面に設けられており、撮影された画像、または、各種設定条件を選択させるメニュー画面等を表示する。表示部１５０は、例えば、液晶ディスプレイ、または有機ＥＬ（Ｅｌｅｃｔｒｏ−Ｌｕｍｉｎｅｓｃｅｎｃｅ）ディスプレイ等を含んで構成されている。
【００１１】
図２は、本実施形態によるアダプター３００の構成の一例を示す斜視図である。
アダプター３００は、カメラボディ１００を着脱可能な第１マウント部と、第１マウント部とは別に設けられており、交換レンズ２００を着脱可能な第２マウント部と、を備えている。
例えば図２に示すように、アダプター３００は、カメラボディ１００が備えているカメラボディ側マウント１０１に着脱可能な第１マウント３０１（第１マウント部）と、交換レンズ２００が備えているレンズ側マウント２０１に着脱可能な第２マウント３０２（第２マウント部）と、を備えている。
なお、第１マウント３０１の近傍には、カメラボディ側マウント１０１の近傍に設けられている複数の電気的な接続端子のそれぞれに対応する、複数の電気的な接続端子（マウント接点）が設けられている。これにより、アダプター３００は、カメラボディ１００に装着されると、これら複数の接続端子を介して、カメラボディ１００と電気的に接続される。
また、第２マウント３０２の近傍には、レンズ側マウント２０１の近傍に設けられている複数の電気的な接続端子のそれぞれに対応する複数の電気的な接続端子を備えている。これにより、アダプター３００は、交換レンズ２００に装着されると、これら複数の接続端子を介して交換レンズ２００と電気的に接続される。
【００１２】
また、アダプター３００は、アダプター３００を三脚に取り付け可能とするための三脚座３０５と、レンズ着脱釦３０６と、絞り連動レバー３５０と、を備えている。
レンズ着脱釦３０６は、交換レンズ２００が装着されることに応じて機械的にロックされるロック機構のロックを解除するための釦である。つまり、レンズ着脱釦３０６は、ユーザが、アダプター３００に装着されている交換レンズ２００を取り外す際に操作する操作部である。なお、レンズ着脱釦３０６は、第１マウント３０１と第２マウント３０２との間を接続する筐体における外側の筐体面に設けられている。
【００１３】
絞り連動レバー３５０（絞り連動機構部）は、交換レンズ２００の絞りによる絞り開口径（絞りによる絞り込み量、開口サイズ、開口率、絞り値）を変化させる複数の絞り羽根を含む絞り機構２５１（図３参照）を変位させるためのレバーとしてアダプター３００に備えられている。絞り連動レバー３５０の位置が、アダプター３００の内周に沿った方向に移動することで、交換レンズ２００の絞りの開口径が変化するよう構成されている。
例えば、交換レンズ２００は、絞り機構２５１を変位させる絞りレバー２５２（図３参照）を備えている。したがって、交換レンズ２００の絞り開口径は、絞りレバー２５２の位置が移動することで変位する。そして絞りレバー２５２は、絞り連動レバー３５０と勘合し、絞り連動レバー３５０と連動して移動するよう構成されている。このため交換レンズ２００の絞り開口径は、絞り連動レバー３５０の位置が移動することで変化する。
すなわち、絞り連動レバー３５０は、交換レンズ２００が備えている絞り機構２５１（絞り）の絞り値に応じた位置に移動する。
【００１４】
＜カメラシステムのブロック構成の説明＞
次に、図３を参照して、カメラシステム１のブロック構成について説明する。
図３は、本実施形態によるカメラシステム１の構成の一例を示す概略ブロック図である。この図において、カメラボディ１００と交換レンズ２００とは、アダプター３００を介して装着されている。また、カメラボディ１００、交換レンズ２００、およびアダプター３００がそれぞれ備える接続端子を介して、互いに電気的に接続されている。
【００１５】
まず、カメラシステム１の構成の概略を説明する。
カメラボディ１００は、接続部１０１ｓを含むカメラボディ側マウント１０１を備えている。アダプター３００は、接続部３０１ｓを含む第１マウント３０１と、接続部３０２ｓを含む第２マウント３０２と、を備えている。交換レンズ２００は、接続部２０１ｓを含むレンズ側マウント２０１を備えている。
【００１６】
カメラボディ１００とアダプター３００とは、カメラボディ側マウント１０１および第１マウント３０１を介して装着（物理的に接続）されており、また接続部１０１ｓおよび接続部３０１ｓを介して電気的に接続されている。接続部１０１ｓと接続部３０１ｓはそれぞれ、互いに電気的に接続される１２個の接続端子（端子Ｔａ１〜Ｔａ１２と、端子Ｔｂ１〜Ｔｂ１２）を備えており、この接続端子を介してカメラボディ１００とアダプター３００との間で給電（電圧の供給）および信号の授受（通信）が行われる。
なお、信号の授受（通信）は、カメラボディ１００が備えているカメラ制御部１１０とアダプター３００が備えているアダプター制御部３１０との間で行われる。
【００１７】
また、交換レンズ２００とアダプター３００とは、レンズ側マウント２０１および第２マウント３０２を介して装着（物理的に接続）されており、また接続部２０１ｓおよび接続部３０２ｓを介して電気的に接続されている。接続部２０１ｓと接続部３０２ｓはそれぞれ、互いに電気的に接続される９個の接続端子（端子Ｔｃ１〜Ｔｃ９と、端子Ｔｄ１〜Ｔｄ９と）を備えており、この接続端子を介して交換レンズ２００とアダプター３００との間で給電（電圧の供給）および信号の授受（通信）が行われる。
なお、信号の授受（通信）は、交換レンズ２００が備えているレンズ制御部２１０とアダプター３００が備えているアダプター制御部３１０との間で行われる。
【００１８】
（カメラボディの構成）
次に、カメラボディ１００の構成について説明する。
カメラボディ１００は、カメラ制御部１１０と、カメラ電源部１２０と、スイッチ１２５と、バッテリー部１９０Ｂと、接続部１０１ｓ（端子Ｔａ１〜Ｔａ１２）とを備えている。
接続部１０１ｓは、アダプター３００が備えている接続部３０１ｓの１２個の接続端子（端子Ｔｂ１〜Ｔｂ１２）と互いに接続される接続端子として、端子Ｔａ１〜Ｔａ１２の１２個の接続端子を備えている。
なお、アダプター３００の構成については後で詳細に説明する。
【００１９】
バッテリー部１９０Ｂは、バッテリー１９０を収納する。
バッテリー１９０は、カメラボディ１００、交換レンズ２００およびアダプター３００に電圧を供給する。例えば、バッテリー１９０は、リチウムイオン２次電池またはニッケル水素２次電池等である。なお、バッテリー１９０は、アルカリ電池等の１次電池であってもよい。また、カメラボディ１００は、バッテリー１９０から電圧が供給される構成に限られず、外部の直流電源（例えば、交流電源から直流電源に変換して電圧を供給するＡＣアダプター等）から電圧が供給されてもよい。
【００２０】
カメラ電源部１２０は、バッテリー１９０から供給される電圧をカメラボディ１００、またはカメラボディ１００に接続されるカメラアクセサリーに供給できるようバッテリー電圧を変換する。例えば、カメラ電源部１２０は、バッテリー電圧を変換することで、カメラボディ１００が備えている制御系回路（主にカメラ制御部１１０）に電圧を供給する電源Ｖｃｃ０と、カメラ電源部１２０は、接続部１０１ｓに接続されるアダプター３００に電圧を供給する第１電源系統である電源Ｖｃｃ１とに分ける。この電源Ｖｃｃ１の電圧は、アダプター３００が備えている制御系回路（主にアダプター制御部３１０）に供給される。以下、この電源Ｖｃｃ１を、制御系電源Ｖｃｃ１と称する。
【００２１】
また、カメラ電源部１２０は、カメラ制御部１１０の制御により、制御系電源Ｖｃｃ１による電圧の供給状態と供給停止状態とを切替える。さらに、カメラ電源部１２０は、カメラ制御部１１０の制御により、供給可能な電力（電力量、給電量）を制御する。例えば、カメラ電源部１２０は、カメラシステム１において撮影処理を実行可能な程度に供給可能な電力（電力量、給電量）が多い状態（通常給電状態）と、撮影処理を実行不可能な程度に供給可能な電力（電力量、給電量）が少ない状態（小給電状態）とを切替える。
なお、制御系電源Ｖｃｃ１の電圧は、端子Ｔａ３と端子Ｔｂ３を介してアダプター制御部３１０に供給される。
【００２２】
また、バッテリー１９０の正極端子と端子Ｔａ２とが、バッテリー部１９０Ｂとスイッチ１２５を介して接続されている。これにより、上述した第１電源系統である電源Ｖｃｃ１とは別に、バッテリー１９０から第２電源系統である電源ＰＷＲが生成され、その電源ＰＷＲからの電圧がアダプター電源部３２０に供給される。電源ＰＷＲの電圧は、端子Ｔａ２と端子Ｔｂ２とを介してアダプター電源部３２０に供給される。なお、バッテリー１９０に代えて、外部の直流電源から電源ＰＷＲの電圧が供給されてもよい。また、電源ＰＷＲは、制御系電源Ｖｃｃ１に比べて供給可能な電力が大きい電源系統である。以下、この電源ＰＷＲを、パワー系電源ＰＷＲと称する。
【００２３】
また、パワー系電源ＰＷＲに対応するグランド（ＧＮＤ）であるパワー系グランドＰＧＮＤは、パワー系電源ＰＷＲの電圧が供給される各部および端子Ｔａ１に接続されている。一方、制御系電源Ｖｃｃ１に対応するグランドである制御系グランドＳＧＮＤは、端子Ｔａ１２に接続されている。また、パワー系グランドＰＧＮＤと制御系グランドＳＧＮＤは、バッテリー部１９０Ｂを介してそれぞれバッテリー１９０の負極端子と同電位のグランドになっている。
なお、制御系グランドＳＧＮＤは、電源Ｖｃｃ０に対応するグランドでもあり、制御系グランドＳＧＮＤがカメラ制御部１１０のグランド端子に接続されている。
【００２４】
スイッチ１２５は、カメラ制御部１１０の制御により、導通状態と遮断状態（非導通状態）とを切替える。すなわち、スイッチ１２５は、カメラ制御部１１０の制御により、パワー系電源ＰＷＲの電圧を、端子Ｔａ２に対して供給するか否かを切替える。
【００２５】
カメラ制御部１１０は、カメラ電源制御部１１１と、第１カメラ通信部１１２と、第２カメラ通信部１１３と、を備えている。カメラ制御部１１０は、カメラボディ１００が備えている各部を制御するとともに、接続部１０１ｓを介して接続されるアダプター３００のアダプター制御部３１０との間で第１データ通信系Ｄ１ｂと第２データ通信系Ｄ２ｂとの２系統の通信を行う。
【００２６】
カメラ電源制御部１１１は、カメラボディ１００の状態、または、第１カメラ通信部１１２もしくは第２カメラ通信部１１３による通信状態に基づいて、カメラ電源部１２０およびスイッチ１２５を制御する。
なお、第１カメラ通信部１１２および第２カメラ通信部１１３はそれぞれ、第１データ通信系Ｄ１ｂと第２データ通信系Ｄ２ｂとの２系統の通信を、独立に実行する。
【００２７】
第１データ通信系Ｄ１ｂは、シリアルインターフェース方式の全二重通信による通信系である。第１カメラ通信部１１２は、第１データ通信系Ｄ１ｂとして、信号ＲＤＹ、ＣＬＫ１、ＤＡＴＡＢ、ＤＡＴＡＬの４種類の信号の授受（通信）を行う。
信号ＲＤＹは、第１カメラ通信部１１２に対して通信可否を通知する信号である。この信号ＲＤＹは、後述する第１アダプター通信部３１２から第１カメラ通信部１１２に対して、端子Ｔａ４を介して送信（出力）される。信号ＣＬＫ１は、シリアル通信用のクロック信号である。このクロック信号ＣＬＫ１は、第１カメラ通信部１１２から第１アダプター通信部３１２に対して、端子Ｔａ５を介して送信（出力）される。信号ＤＡＴＡＢは、第１カメラ通信部１１２から第１アダプター通信部３１２に対して、端子Ｔａ６を介して出力される、カメラボディ１００に関するデータ信号である。信号ＤＡＴＡＬは、第１アダプター通信部３１２から第１カメラ通信部１１２に対して出力される、交換レンズ２００に関するデータ信号である。第１カメラ通信部１１２は信号ＤＡＴＡＬを端子Ｔａ７を介して受信する。
【００２８】
第２データ通信系Ｄ２ｂは、シリアルインターフェース方式であって、カメラボディ１００に対してデータが送信される単方向通信による通信系である。第２カメラ通信部１１３は、信号ＨＲＥＱ、ＨＡＮＳ、ＨＣＬＫ、ＨＤＡＴＡの４種類の信号の授受（通信）を行う。
信号ＨＲＥＱは、第２カメラ通信部１１３からの通信要求を示す信号であり、第２カメラ通信部１１３が、後述する第２アダプター通信部３１３に対して、端子Ｔｂ８を介して送信（出力）する。信号ＨＡＮＳは、第２カメラ通信部１１３への通信応答を示す信号であり、第２アダプター通信部３１３から第２カメラ通信部１１３に対して、端子Ｔｂ９を介して送信される。信号ＨＣＬＫは、シリアル通信用のクロック信号である。このクロック信号ＨＣＬＫは、第２カメラ通信部１１３から第２アダプター通信部３１３に対して、端子Ｔｂ１０を介して送信（出力）される。信号ＨＤＡＴＡは、第２アダプター通信部３１３から第２カメラ通信部１１３に対して、端子Ｔｂ１１を介して送信されるレンズのデータ信号である。
【００２９】
なお、第１データ通信系Ｄ１ｂ、および第２データ通信系Ｄ２ｂでの通信内容は、後で詳述する。
【００３０】
（交換レンズの構成）
次に、交換レンズ２００の構成について説明する。
交換レンズ２００は、接続部２０１ｓ（端子Ｔｄ１〜Ｔｄ９）と、レンズ制御部２１０と、光学系２２０と、光学系駆動部２３０とを備えている。
光学系２２０を介して入射した被写体光（光学像）は、アダプター３００を介してカメラボディ１００が備えている周知の撮影素子（不図示）の受光面に導かれる。
光学系２２０は、レンズ２２１と、焦点調整用レンズ（以下、フォーカスレンズと称す）２２２と、光学像の像ぶれ補正用（防振用）レンズ（以下、ＶＲ（Ｖｉｂｒａｔｉｏｎ Ｒｅｄｕｃｔｉｏｎ）レンズと称す）２２３と、絞りユニット２５０と、を備えている。
【００３１】
絞りユニット２５０は、複数の絞り羽根を含む絞り機構２５１と、絞り機構２５１を機械的に操作する絞りレバー２５２とを備えている。したがって、交換レンズ２００の絞り開口径は、絞りレバー２５２が絞り機構２５１を機械的に操作することで変化する。また、図３に記載のカメラシステム１における交換レンズ２００は、絞り機構２５１を駆動するアクチュエータ等の動力源を内蔵しないレンズであり、アダプター３００の絞り連動レバー３５０によって絞りレバー２５２を介して絞り機構２５１が駆動されるレンズである。
【００３２】
光学系駆動部２３０は、ＡＦ（Ａｕｔｏ Ｆｏｃｕｓ）駆動部２３１と、ＡＦエンコーダ２３２と、ＶＲ駆動部２３５と、を備えている。
ＡＦ駆動部２３１は、レンズ制御部２１０の制御によりフォーカスレンズ２２２を駆動させる。また、ＡＦエンコーダ２３２は、フォーカスレンズ２２２の位置を検出してレンズ制御部２１０に検出結果を供給する。
ＶＲ駆動部２３５は、レンズ制御部２１０の制御によりＶＲレンズ２２３を駆動させる。
なお、交換レンズ２００は、ユーザに手動操作されることによってフォーカスレンズ２２２の位置を移動させるフォーカスリングを備えている構成としてもよい。
【００３３】
接続部２０１ｓは、アダプター３００が備えている接続部３０２ｓの９個の接続端子（端子Ｔｃ１〜Ｔｃ９）と互いに接続される接続端子として、９個の接続端子Ｔｄ１〜Ｔｄ９を備えている。
光学系駆動部２３０の電圧が供給される電源Ｖｐは、端子Ｔｄ２を介して供給される。以下、この電源Ｖｐをレンズ駆動系電源Ｖｐと称する。レンズ駆動系電源Ｖｐはアダプター３００を介してパワー系電源ＰＷＲから供給される。
例えば、ＡＦ駆動部２３１が備えているフォーカスレンズ２２２を駆動するアクチュエータ、およびＶＲレンズ２２３を駆動するアクチュエータ等のように消費電力が多い光学系駆動部２３０に、この端子Ｔｄ２からレンズ駆動系電源Ｖｐの電圧が供給される。また、レンズ駆動系電源Ｖｐに対応するグランドであるパワー系グランドＰＧＮＤは、光学系駆動部２３０のグランド端子および端子Ｔｄ１に接続されている。
【００３４】
レンズ制御部２１０の電圧が供給される電源Ｖｃは、端子Ｔｄ３に接続されている。以下、この電源Ｖｃをレンズ制御系電源Ｖｃと称する。レンズ制御系電源Ｖｃはアダプター３００を介してパワー系電源ＰＷＲから供給される。
光学系駆動部２３０と比べて消費電力が少ないレンズ制御部２１０を含む制御系回路等に、この端子Ｔｄ３を介してレンズ制御系電源Ｖｃの電圧が供給される。また、レンズ制御系電源Ｖｃに対応するグランドである制御系グランドＳＧＮＤは、レンズ制御部２１０のグランド端子および端子Ｔｄ９に接続されている。
すなわち、パワー系グランドＰＧＮＤと制御系グランドＳＧＮＤとは、交換レンズ２００において互いに接続されておらず、２系統のグランドに分離されている。
【００３５】
レンズ制御部２１０は、光学系制御部２１１と、第１レンズ通信部２１２と、第２レンズ通信部２１３と、を備えている。レンズ制御部２１０は、光学系駆動部２３０を制御するとともに、接続部２０１ｓを介して接続されるアダプター３００のアダプター制御部３１０との間で第１データ通信系Ｄ１Ｌと第２データ通信系Ｄ２Ｌとの２系統の通信を制御する。
【００３６】
光学系制御部２１１は、光学系駆動部２３０を制御する。例えば、光学系制御部２１１は、アダプター３００との通信状態に応じて、光学系駆動部２３０を初期化する。また、光学系制御部２１１は、アダプター３００を介したカメラ制御部１１０の制御に応じて、フォーカスレンズ２２２またはＶＲレンズ２２３等の駆動要素を駆動するよう、光学系駆動部２３０を制御する。また、光学系制御部２１１は、光学系駆動部２３０から供給される光学系（駆動要素）２２０に関する情報（例えば、ＡＦエンコーダ２３２に検出されたフォーカスレンズ２２２の位置等の情報）を取得する。
【００３７】
第１レンズ通信部２１２および第２レンズ通信部２１３は、それぞれ第１データ通信系Ｄ１Ｌと第２データ通信系Ｄ２Ｌとの２系統の通信を独立したタイミングで実行する。
第１データ通信系Ｄ１Ｌは、シリアルインターフェース方式の半二重通信による通信系である。第１レンズ通信部２１２は、第１データ通信系Ｄ１Ｌとして、信号Ｒ／Ｗ、ＣＬＫ２、ＤＡＴＡの３種類の信号の通信を実行する。
信号Ｒ／Ｗは、後述するデータ信号の通信方向を示すリード／ライト信号であるが、レンズ側とアダプター間のハンドシェイクを行う信号として利用され、端子Ｔｄ４を介して、後述する第１アダプター通信部３１２と第１レンズ通信部２１２との間で送受信される。信号ＣＬＫ２は、シリアル通信用のクロック信号であり、第１アダプター通信部３１２から第１レンズ通信部２１２に対して、端子Ｔｄ５を介して送信(出力)される。信号ＤＡＴＡは、第１アダプター通信部３１２と第１レンズ通信部２１２との間で、端子Ｔｄ６を介して送受信されるデータ信号である。
【００３８】
第２データ通信系Ｄ２Ｌは、パルス通信方式であって、交換レンズ２００からパルス信号が出力される単方向通信による通信系である。第２レンズ通信部２１３は、第２データ通信系Ｄ２Ｌとして、信号ＨＬＰ１、ＨＬＰ２の２種類のパルス信号を送信する。
信号ＨＬＰ１は、端子Ｔｄ７を介して後述する第２アダプター通信部３１３に送信されるパルス信号である。信号ＨＬＰ２は、第２レンズ通信部２１３から第２アダプター通信部３１３に対して、端子Ｔｄ８を介して出力されるパルス信号である。これらのパルス信号ＨＬＰ１、ＨＬＰ２は、ＡＦエンコーダ２３２から出力される信号に応じたパルス信号である。
【００３９】
なお、第１データ通信系Ｄ１Ｌ、および第２データ通信系Ｄ２Ｌにて通信される通信内容は、後で詳述する。
【００４０】
（アダプターの構成）
次に、アダプター３００の構成について説明する。
アダプター３００は、アダプター制御部３１０と、アダプター電源部３２０と、絞り連動レバー駆動部３３０（絞り連動機構駆動部）と、接続部３０１ｓ（端子Ｔｂ１〜Ｔｂ１２）と、接続部３０２ｓ（端子Ｔｃ１〜Ｔｃ９）と、絞り連動レバー３５０と、レンズ着脱機構部３６０（レンズ着脱機構）と、を備えている。
【００４１】
レンズ着脱機構部３６０は、ロックピン３６１と、保持機構３６２と、解除機構３６３と、抑止機構３６４と、レンズ着脱釦３０６と、を備えている。
ロックピン３６１は、第２マウント３０２のマウント面に対して突出した突出位置と、突出しない退避位置との間で、第２マウント３０２のマウント面に対して垂直な軸方向に移動可能なように設けられている。保持機構３６２は、ロックピン３６１を突出位置方向に付勢するばね部材を有しており、交換レンズ２００が第２マウント３０２に装着された際に、ロックピン３６１を突出位置方向に付勢する。これにより、交換レンズ２００が第２マウント３０２に装着された際に、突出位置方向に突出したロックピン３６１が、交換レンズ２００のレンズ側マウント２０１の係合穴２０６に係合される。すなわち、保持機構３６２は、交換レンズ２００が第２マウント３０２に装着された際に、ロックピン３６１を係合穴２０６に係合させることにより（交換レンズ２００の第２マウント３０２に対する回転がロックされる（回転が不可能になる）ことにより）、交換レンズ２００が装着されている状態（交換レンズ２００の装着状態）を保持する。
【００４２】
解除機構３６３は、保持機構３６２により交換レンズ２００の装着状態が保持されている保持状態を解除可能であり、例えば、ロックピン３６１がレンズ着脱釦３０６に連動して移動可能なように構成されている機構である。これにより、ユーザがレンズ着脱釦３０６をロックピン３６１が付勢されている方向（突出位置方向）と反対方向（退避位置方向）に移動させた場合、解除機構３６３によりロックピン３６１が連動して退避位置方向に移動し、ロックピン３６１と係合穴２０６との係合が解除される。すなわち、解除機構３６３は、ユーザがレンズ着脱釦３０６を操作することにより、保持機構３６２により交換レンズ２００の装着状態が保持されている保持状態を解除する。
【００４３】
抑止機構３６４は、保持機構３６２により交換レンズ２００の装着状態が保持されている保持状態を解除機構３６３により解除できないように抑止する機構である。例えば、抑止機構３６４は、ロックピン３６１が突出位置と退避位置との間で移動する経路上の第１の位置（ロックピン３６１の移動を妨げる位置）と、該経路外の第２の位置（ロックピン３６１の移動を妨げない位置）とを、アダプター制御部３１０の制御より移動可能な抑止部（ストッパー）を含んで構成されている。これにより、抑止機構３６４の抑止部が、アダプター制御部３１０の制御により上述の第１の位置、すなわち突出位置にあるロックピン３６１の移動を妨げる位置に移動した場合、保持機構３６２により交換レンズ２００の装着状態が保持されている保持状態が解除機構３６３により解除できないように抑止される。一方、抑止機構３６４の抑止部が、アダプター制御部３１０の制御により上述の第２の位置、すなわち突出位置にあるロックピン３６１の移動を妨げない位置に移動した場合、保持機構３６２により交換レンズ２００の装着状態が保持されている保持状態が解除機構３６３により解除可能になる。
なお、抑止機構３６４は、例えば、上述の抑止部（ストッパー）の位置を移動させるアクチュエータを有し、このアクチュエータがアダプター制御３１０の制御により駆動される。ここで、アクチュエータは、例えば、ソレノイドコイルを用いた電磁石で得られる動力を利用して上述の抑止部（ストッパー）の位置を移動させる駆動をする。
【００４４】
このように、レンズ着脱機構部３６０は、交換レンズ２００が第２マウント３０２に装着された場合、保持機構３６２により、その装着状態を保持する。また、レンズ着脱機構部３６０は、レンズ着脱釦３０６が操作された場合、保持機構３６２により交換レンズ２００の装着状態が保持されている保持状態を、解除機構３６３により解除する。また、レンズ着脱機構部３６０は、アダプター制御部３１０の制御により、解除機構３６３による保持状態の解除を抑止する（解除できないようにロックする）ことも可能である。
【００４５】
接続部３０１ｓは、カメラボディ１００側の既述の１２個の接続端子Ｔａ１〜Ｔａ１２と互いに接続される、１２個の接続端子Ｔｂ１〜Ｔｂ１２を備えている。アダプター３００とカメラボディ１００とが接続部３０１ｓおよび接続部１０１ｓを介して接続されることにより、接続部３０１ｓの端子Ｔｂ１〜Ｔｂ１２のそれぞれの端子は、接続部１０１ｓの端子Ｔａ１〜Ｔａ１２のそれぞれ対応する接続端子と電気的に接続する。
【００４６】
また、接続部３０２ｓは、交換レンズ２００側の既述の９個の接続端子（端子Ｔｄ１〜Ｔｄ９）と互いに接続される、９個の接続端子Ｔｃ１〜Ｔｃ９を備えている。アダプター３００と交換レンズ２００とが、接続部３０２ｓおよび接続部２０１ｓを介して接続されることにより、接続部３０２ｓの端子Ｔｃ１〜Ｔｃ９のそれぞれの端子は、接続部２０１ｓの端子Ｔｄ１〜Ｔｄ９のそれぞれ対応する接続端子と接続する。
【００４７】
端子Ｔｂ２は端子Ｔａ２に接続され、端子Ｔｂ３は端子Ｔａ３に接続される。これにより、カメラボディ１００から、端子Ｔａ２を介して端子Ｔｂ２にパワー系電源ＰＷＲの電圧が供給され、端子Ｔａ３を介して端子Ｔｂ３に制御系電源Ｖｃｃ１の電圧が供給される。これにより、アダプター電源部３２０には、カメラボディ１００から端子Ｔａ２および端子Ｔｂ２を介してパワー系電源ＰＷＲの電圧が供給され、また、カメラボディ１００から端子Ｔａ３および端子Ｔｂ３を介して制御系電源Ｖｃｃ１の電圧が供給される。
【００４８】
このように、アダプター３００のアダプター電源部３２０には、カメラボディ１００から制御系電源Ｖｃｃ１の電圧（第１電源系統の電圧）と、制御系電源Ｖｃｃ１と比べて供給可能な電力が大きいパワー系電源ＰＷＲの電圧（第２電源系統の電圧）との両方の電圧がそれぞれ供給される。アダプター電源部３２０に供給されたパワー系電源ＰＷＲの電圧、または制御系電源Ｖｃｃ１の電圧から、交換レンズ２００に電圧を供給するレンズ系電源系統として、レンズ駆動系電源Ｖｐ（第３電源系統）とレンズ制御系電源Ｖｃ（第４電源系統）とがそれぞれ生成される。例えば、アダプター電源部３２０は、カメラボディ１００から供給されたパワー系電源ＰＷＲから、交換レンズ２００に対して給電するレンズ駆動系電源Ｖｐの供給電圧を生成する。また、アダプター電源部３２０は、カメラボディ１００から供給された制御系電源Ｖｃｃ１の電圧から、レンズ制御系電源Ｖｃの供給電圧を生成する。さらに、アダプター電源部３２０は、カメラボディ１００から供給された制御系電源Ｖｃｃ１の電圧を、アダプター制御部３１０に供給する。
なお、レンズ駆動系電源Ｖｐから供給される電圧は、レンズ制御系電源Ｖｃから供給される電圧よりも大きい（高い）。また、レンズ駆動系電源Ｖｐから供給される負荷における消費電力が、レンズ制御系電源Ｖｃから供給される負荷における消費電力に比べて多いとしてもよい。また、アダプター電源部３２０は、パワー系電源ＰＷＲの電圧に基づいてレンズ駆動系電源Ｖｐの電圧を変換する（生成する）レギュレータ部（例えば、リニアレギュレータ）を備えている構成としてもよい。
【００４９】
また、アダプター電源部３２０に供給されたパワー系電源ＰＷＲからは、上述したレンズ駆動系電源Ｖｐとは別に、絞り連動レバー駆動部３３０に電圧を供給する電源Ｖｍ（第５電源系統）も生成される（分けられる）。以下、この電源Ｖｍを絞り駆動用電源Ｖｍと称する。
例えば、アダプター電源部３２０は、パワー系電源ＰＷＲの電圧を予め定められた絞り駆動用電源Ｖｍの電圧に変換する電圧変換部を備えている。この電圧変換部は、例えば、ＤＣ−ＤＣコンバータを備えている。また、この電圧変換部は、例えば予め定められた電圧（予め定められた絞り駆動用電源Ｖｍの電圧）まで昇降圧した電圧に変換する。そして、アダプター電源部３２０は、生成した絞り駆動用電源Ｖｍの電圧を絞り連動レバー駆動部３３０に供給する。
【００５０】
なお、アダプター電源部３２０により変換された電源系それぞれの接続は、以下のようになっている。
端子Ｔｃ２は、アダプター電源部３２０のレンズ駆動系電源Ｖｐ出力端子（レンズ駆動系電源Ｖｐの電圧を出力する端子）に接続されている。また、端子Ｔｃ３は、アダプター電源部３２０のレンズ制御系電源Ｖｃ出力端子（レンズ制御系電源Ｖｃの電圧を出力する端子）に接続されている。これにより、アダプター電源部３２０は、端子Ｔｃ２にレンズ駆動系電源Ｖｐの電圧を供給し、端子Ｔｃ３にレンズ制御系電源Ｖｃの電圧を供給する。
また、アダプター電源部３２０は、レンズ駆動系電源Ｖｐの電圧を端子Ｔｃ２および端子Ｔｄ２を介して交換レンズ２００の光学系駆動部２３０に供給する。
また、アダプター電源部３２０は、レンズ制御系電源Ｖｃの電圧を端子Ｔｃ３および端子Ｔｄ３を介して交換レンズ２００のレンズ制御部２１０に供給する。
【００５１】
このように、アダプター電源部３２０は、カメラボディ１００から給電されたパワー系電源ＰＷＲの電圧から、交換レンズ２００の光学系駆動部２３０に供給するレンズ駆動系電源Ｖｐの電圧を生成する。一方、アダプター電源部３２０は、カメラボディ１００から給電された制御系電源Ｖｃｃ１の電圧から、交換レンズ２００のレンズ制御部２１０に供給するレンズ制御系電源Ｖｃの電圧を生成するとともに、制御系電源Ｖｃｃ１の電圧をアダプター制御部３１０に供給する。
【００５２】
また、端子Ｔｂ１は、カメラボディ１００の端子Ｔａ１に接続されている。これにより、パワー系グランドＰＧＮＤは、端子Ｔａ１を介して端子Ｔｂ１に接続されている。また、端子Ｔｂ１と端子Ｔｃ１とは、アダプター３００内でパワー系グランドＰＧＮＤとして接続されている。さらに、端子Ｔｃ１は、交換レンズ２００の端子Ｔｄ１に接続されている。これにより、パワー系グランドＰＧＮＤは、レンズ駆動系電源Ｖｐに対応するグランドとして、端子Ｔｃ１を介して端子Ｔｄ１に接続されている。なお、パワー系グランドＰＧＮＤは、アダプター電源部３２０および絞り連動レバー駆動部３３０等のグランドとしても接続されている。
【００５３】
また、端子Ｔｂ１２は、カメラボディ１００の端子Ｔａ１２に接続されている。これにより、制御系グランドＳＧＮＤは、端子Ｔａ１２を介して端子Ｔｂ１２に接続されている。また、端子Ｔｂ１２と端子Ｔｃ９とは、アダプター３００内で制御系グランドＳＧＮＤとして接続されている。さらに、端子Ｔｃ９は、交換レンズ２００の端子Ｔｄ９に接続されている。これにより、制御系グランドＳＧＮＤは、レンズ制御系電源Ｖｃに対応するグランドとして、端子Ｔｃ９を介して端子Ｔｄ９に接続されている。また、制御系グランドＳＧＮＤは、アダプター制御部３１０のグランドとしても接続されている。
【００５４】
このように、パワー系グランドＰＧＮＤと制御系グランドＳＧＮＤとは、アダプター３００において互いに接続されておらず、２系統のグランドに分離されている。
つまり、交換レンズ２００およびアダプター３００において、パワー系グランドＰＧＮＤと制御系グランドＳＧＮＤとが互いに接続されておらず、２系統のグランドに分離されている。ただし、２系統に分離されているパワー系グランドＰＧＮＤと制御系グランドＳＧＮＤとは、カメラボディ１００において接続され、バッテリー１９０の負極と同電位のグランドになっている。したがって、カメラ制御部１１０、レンズ制御部２１０、およびアダプター制御部３１０のグランドは、制御系グランドＳＧＮＤに接続され同電位になっている。
【００５５】
なお、交換レンズ２００において、制御系グランドＳＧＮＤは、レンズ側マウント２０１の導電部（交換レンズ筐体）に接続されていてもよい。また、交換レンズ２００において制御系グランドＳＧＮＤが接続されている端子Ｔｄ９は、レンズ側マウント２０１の導電部に含まれている構成としてもよい。同様に、アダプター３００において、制御系グランドＳＧＮＤは、第２マウント３０２の導電部に接続されていてもよい。また、アダプター３００において制御系グランドＳＧＮＤが接続されている端子Ｔｃ９は、第２マウント３０２の導電部に含まれている構成としてもよい。
さらに、同様に、端子Ｔｂ１２は第１マウント３０１の導電部に接続されていてもよく、また、端子Ｔｂ１２は第１マウント３０１の導電部に含まれている構成としてもよい。同様に、端子Ｔａ１２も、カメラボディ側マウント１０１の導電部に接続されていてもよく、また、端子Ｔａ１２はカメラボディ側マウント１０１の導電部に含まれている構成としてもよい。
【００５６】
絞り連動レバー駆動部３３０は、アダプター制御部３１０の制御により絞り連動レバー３５０の位置を移動させる。絞り連動レバー駆動部３３０は、絞り連動レバー３５０を移動させることにより、交換レンズ２００の絞り機構２５１を絞りレバー２５２を介して変位させる。また、絞り連動レバー駆動部３３０は、絞り連動レバー３５０の位置を検出して、該検出結果をアダプター制御部３１０に出力する。
【００５７】
例えば、絞り連動レバー駆動部３３０は、絞り連動レバー３５０を駆動する絞り駆動用アクチュエータ（例えば、ステッピングモーター）、絞り駆動用アクチュエータを駆動制御するモーター駆動部、および、絞り連動レバー３５０の位置を検出する絞り連動レバー位置検出部等を備えている。これにより、絞り連動レバー駆動部３３０において、モーター駆動部が絞り駆動用アクチュエータを駆動することにより、絞り駆動用アクチュエータが絞り連動レバー３５０を駆動する。また、絞り連動レバー駆動部３３０において、絞り連動レバー位置検出部（例えば、フォトインタラプタ）が、絞り連動レバー３５０の位置を検出して、検出結果をアダプター制御部３１０に供給する。
【００５８】
アダプター制御部３１０は、アダプター電源制御部３１１と、第１アダプター通信部３１２と、第２アダプター通信部３１３と、絞り制御部３１４と、レンズ着脱機構制御部３１５と、を備えている。また、アダプター制御部３１０は、カメラ制御部１１０との周期的な通信により制御されて、アダプター３００が備えている各部において行われる処理を制御するとともに、レンズ制御部２１０と周期的な通信を行う。例えば、アダプター制御部３１０は、カメラ制御部１１０との間で、定常的な周期的通信を実行する。また、アダプター制御部３１０は、レンズ制御部２１０との間でも、定常的な周期的通信を実行する。
また、アダプター制御部３１０は、カメラ制御部１１０からの撮影処理を制御するための通信に基づいて、絞り連動レバー駆動部３３０の制御をするとともに、交換レンズ２００の光学系駆動部２３０を制御するためにレンズ制御部２１０との通信を行う。
【００５９】
アダプター電源制御部３１１は、カメラ制御部１１０またはレンズ制御部２１０との通信結果、またはアダプター３００の状態等に応じて、アダプター電源部３２０を制御する。例えば、アダプター電源制御部３１１は、カメラ制御部１１０またはレンズ制御部２１０との通信結果に応じてアダプター電源部３２０を制御して、レンズ制御系電源Ｖｃ、レンズ駆動系電源Ｖｐ、または絞り駆動用電源Ｖｍの電圧を供給させるか否かを制御する。
【００６０】
絞り制御部３１４は、カメラ制御部１１０またはレンズ制御部２１０との通信結果に応じて、絞り連動レバー駆動部３３０を制御する。
例えば、絞り制御部３１４は、カメラ制御部１１０との通信結果に応じて、絞り機構２５１の絞り開口径が、カメラ制御部１１０からの制御指示に応じた絞り開口径になるように絞り連動レバー駆動部３３０を制御する。
また、絞り制御部３１４は、処理に応じて絞り連動レバー３５０の位置を初期の位置に移動させる制御を絞り連動レバー駆動部３３０にする。例えば、絞り制御部３１４は、初期の位置として、絞り機構２５１が開放になる位置、絞り機構２５１の設定絞り値に応じて移動する絞りレバー２５２に干渉しない位置である退避位置、等に絞り連動レバー３５０を移動させるように絞り連動レバー駆動部３３０を制御する。
また、絞り制御部３１４は、絞り連動レバー駆動部３３０において検出された絞り連動レバー３５０の位置を取得する。
【００６１】
レンズ着脱機構制御部３１５は、レンズ着脱機構部３６０の抑止機構３６４を制御する。前述したように、抑止機構３６４は、保持機構３６２により交換レンズ２００の装着状態が保持されている保持状態を解除機構３６３により解除できないように抑止する機構である。すなわち、レンズ着脱機構制御部３１５は、保持機構３６２により交換レンズ２００の装着状態が保持されている保持状態を解除できないようにロックするか、または保持状態を解除可能なようにロックを解除するかの何れかに、レンズ着脱機構制御部３１５の抑止機構３６４を制御する。
【００６２】
第１アダプター通信部３１２は、第１カメラ通信部１１２との間で第１データ通信系Ｄ１ｂの通信を実行し、第１レンズ通信部２１２との間で第１データ通信系Ｄ１Ｌの通信を実行する。
具体的には、第１アダプター通信部３１２は、互いに異なる通信規格である第１データ通信系Ｄ１ｂと第１データ通信系Ｄ１Ｌとの通信を中継する。例えば、第１アダプター通信部３１２は、シリアルインターフェース方式の全二重通信である第１データ通信系Ｄ１ｂの通信規格により第１カメラ通信部１１２から受信したデータを、シリアルインターフェース方式の半二重通信である第１データ通信系Ｄ１Ｌの通信規格のデータに変換して第１レンズ通信部２１２へ送信する。一方、第１アダプター通信部３１２は、シリアルインターフェース方式の半二重通信である第１データ通信系Ｄ１Ｌの通信規格により第１レンズ通信部２１２から受信したデータを、シリアルインターフェース方式の全二重通信である第１データ通信系Ｄ１ｂの通信規格のデータに変換して第１カメラ通信部１１２へ送信する。
また、第１アダプター通信部３１２は、互いに異なる周期で通信される第１データ通信系Ｄ１ｂと第１データ通信系Ｄ１Ｌとの通信を中継する。
また、第１アダプター通信部３１２は、第１データ通信系Ｄ１ｂと第１データ通信系Ｄ１Ｌとにおいて送受信されるデータのフォーマットの整合性をとるための変換処理をする。
なお、アダプター制御部３１０は、例えば、記憶部（不図示）を備えている。第１アダプター通信部３１２は、受信したデータ、および変換したデータ等に基づいて生成したデータを該記憶部に一時的に記憶させる。そして、第１アダプター通信部３１２は、生成したデータを該記憶部から読み出して送信する。
【００６３】
第１アダプター通信部３１２と第１カメラ通信部１１２とは、信号ＲＤＹ、ＣＬＫ１、ＤＡＴＡＢ、ＤＡＴＡＬの４種類の信号線を介して第１データ通信系Ｄ１ｂの通信を実行する。端子Ｔｂ４は、信号ＲＤＹの信号線を介して第１アダプター通信部３１２に接続されている。また、端子Ｔｂ５は信号ＣＬＫ１の信号線、端子Ｔｂ６は信号ＤＡＴＡＢの信号線、および端子Ｔｂ７は信号ＤＡＴＡＬの信号線、を介してそれぞれ第１アダプター通信部３１２に接続されている。そして、端子Ｔｂ４は、カメラボディ１００の端子Ｔａ４に接続されており、端子Ｔｂ５は端子Ｔａ５に、端子Ｔｂ６は端子Ｔａ６に、端子Ｔｂ７は端子Ｔａ７に、それぞれ接続されている。
つまり、第１データ通信系Ｄ１ｂの通信を行う信号ＲＤＹ、ＣＬＫ１、ＤＡＴＡＢ、ＤＡＴＡＬの４種類の信号線は、端子Ｔｂ４〜Ｔｂ７と端子Ｔａ４〜Ｔａ７とを介して第１アダプター通信部３１２と第１カメラ通信部１１２との間で接続されている。
【００６４】
一方、第１アダプター通信部３１２と第１レンズ通信部２１２とは、信号Ｒ／Ｗ、ＣＬＫ２、ＤＡＴＡの３種類の信号線を介して第１データ通信系Ｄ１Ｌの通信を実行する。端子Ｔｃ４は、信号Ｒ／Ｗの信号線を介して第１アダプター通信部３１２に接続されている。また、端子Ｔｃ５は信号ＣＬＫ２の信号線、端子Ｔｃ６は信号ＤＡＴＡの信号線を介して第１アダプター通信部３１２に接続されている。そして、端子Ｔｃ４は、交換レンズ２００の端子Ｔｄ４に接続されており、端子Ｔｃ５は端子Ｔｄ５に、端子Ｔｃ６は端子Ｔｄ６に、それぞれ接続されている。
つまり、第１データ通信系Ｄ１Ｌの通信を行う信号Ｒ／Ｗ、ＣＬＫ２、ＤＡＴＡの３種類の信号線は、端子Ｔｃ４〜Ｔｃ６と端子Ｔｄ４〜Ｔｄ６とを介して第１アダプター通信部３１２と第１レンズ通信部２１２との間で接続されている。
【００６５】
このように、第１アダプター通信部３１２を介して第１カメラ通信部１１２と第１レンズ通信部２１２との間において、第１データ通信系Ｄ１ｂの通信および第１データ通信系Ｄ１Ｌの通信が行われる。この第１データ通信系Ｄ１ｂの通信および第１データ通信系Ｄ１Ｌの通信においては、第１カメラ通信部１１２と第１レンズ通信部２１２との間で、第１アダプター通信部３１２を介して、例えば、光学系２２０の情報、制御指示等の要求コマンド、および要求コマンドに対する応答データ等が通信される。ここで、この第１データ通信系Ｄ１ｂおよび第１データ通信系Ｄ１Ｌにおける通信をコマンドデータ通信と称する。
なお、光学系２２０の情報とは、光学系２２０の種類を示す情報（光学系２２０の仕様、機能、光学特性等を示す情報）、または光学系２２０の駆動状態を示す情報等である。
【００６６】
第２アダプター通信部３１３は、第２レンズ通信部２１３から第２データ通信系Ｄ２Ｌのパルス信号を受信して、第２カメラ通信部１１３との間で第２データ通信系Ｄ２ｂの通信を実行する。
具体的には、第２アダプター通信部３１３は、第２データ通信系Ｄ２Ｌのパルス信号に含まれる情報を検出し、検出した情報を第２データ通信系Ｄ２ｂの通信規格に合わせて変換する。例えば、第２アダプター通信部３１３は、パルス通信方式の単方向通信である第２データ通信系Ｄ２Ｌの通信規格により第２レンズ通信部２１３から受信したパルス信号を、シリアルインターフェース方式の単方向通信である第２データ通信系Ｄ２ｂの通信規格のデータに変換して第２カメラ通信部１１３へ送信する。また、第２アダプター通信部３１３は、第１アダプター通信部３１２による制御に応じて、第２データ通信系Ｄ２Ｌの通信により受信したパルス信号に含まれる情報を第２データ通信系Ｄ２ｂの通信規格に変換して第２カメラ通信部１１３へ送信する。
【００６７】
第２アダプター通信部３１３と第２カメラ通信部１１３とは、信号ＨＲＥＱ、ＨＡＮＳ、ＨＣＬＫ、ＨＤＡＴＡの４種類の信号線を介して第２データ通信系Ｄ２ｂの通信を実行する。端子Ｔｂ８は、信号ＨＲＥＱの信号線を介して第２アダプター通信部３１３に接続されている。また、端子Ｔｂ９は信号ＨＡＮＳの信号線、端子Ｔｂ１０は信号ＨＣＬＫの信号線、および端子Ｔｂ１１は信号ＨＤＡＴＡの信号線、を介してそれぞれ第２アダプター通信部３１３に接続されている。そして、端子Ｔｂ８は、カメラボディ１００の端子Ｔａ８に接続されており、端子Ｔｂ９は端子Ｔａ９に、端子Ｔｂ１０は端子Ｔａ１０に、端子Ｔｂ１１は端子Ｔａ１１に、それぞれ接続されている。
つまり、第２データ通信系Ｄ２ｂの通信を行う信号ＨＲＥＱ、ＨＡＮＳ、ＨＣＬＫ、ＨＤＡＴＡの４種類の信号線は、端子Ｔｂ８〜Ｔｂ１１と端子Ｔａ８〜Ｔａ１１とを介して第２アダプター通信部３１３と第２カメラ通信部１１３との間で接続されている。
【００６８】
一方、第２アダプター通信部３１３と第２レンズ通信部２１３とは、信号ＨＬＰ１、ＨＬＰ２の２種類の信号線を介して第２データ通信系Ｄ２Ｌの通信を実行する。端子Ｔｃ７は、信号ＨＬＰ１の信号線を介して第２アダプター通信部３１３に接続されている。また、端子Ｔｃ８は信号ＨＬＰ２の信号線を介して第２アダプター通信部３１３に接続されている。そして、端子Ｔｃ７は、交換レンズ２００の端子Ｔｄ７に接続されており、端子Ｔｃ８は端子Ｔｄ８に接続されている。
つまり、第２データ通信系Ｄ２Ｌの通信を行う信号ＨＬＰ１、ＨＬＰ２の２種類の信号線は、端子Ｔｃ７〜Ｔｃ８と端子Ｔｄ７〜Ｔｄ８とを介して第２アダプター通信部３１３と第２レンズ通信部２１３との間で接続されている。
【００６９】
このように、第２アダプター通信部３１３を介して第２カメラ通信部１１３と第２レンズ通信部２１３との間において、第２データ通信系Ｄ２ｂの通信および第２データ通信系Ｄ２Ｌの通信が行われる。この第２データ通信系Ｄ２ｂの通信および第２データ通信系Ｄ２Ｌの通信においては、第２カメラ通信部１１３の通信要求信号に基づいて、第２アダプター通信部３１３を介して第２レンズ通信部２１３から、例えば、フォーカスレンズ２２２の位置を示すデータ等が通信される。ここで、この第２データ通信系Ｄ２ｂおよび第２データ通信系Ｄ２Ｌにおける通信をホットライン通信と称する。
【００７０】
＜交換レンズの他の形態＞
次に、交換レンズの他の形態について説明する。
アダプター３００を介してカメラボディ１００と接続して機能させることが可能なレンズは、図３を用いて説明した交換レンズ２００に限られるものではない。交換レンズ２００の他に、様々な交換レンズを、アダプター３００を介してカメラボディ１００と接続して機能させることが可能である。
なお、図３を用いて説明した交換レンズ２００は、通信可能なレンズ制御部２１０を備えており、レンズ制御部２１０が通信結果に基づいて光学系駆動部２３０を制御する交換レンズであり、この交換レンズ２００を、以下の記述においてＣＰＵ（Central Processing Unit）レンズとも称する。
【００７１】
（非ＣＰＵレンズ）
これに対して、図４に示すように、通信可能なレンズ制御部を備えていない交換レンズ２００Ｂを、アダプター３００を介してカメラボディ１００と接続して機能させることも可能である。
図４は、通信可能なレンズ制御部を備えていない交換レンズ２００Ｂを備えているカメラシステム１Ｂの構成の一例を示す概略ブロック図である。同図において図３の各部に対応する部分には同一の符号を付け、その説明を省略する。
この図において、カメラボディ１００と交換レンズ２００Ｂとは、アダプター３００を介して装着されている。
【００７２】
例えば、交換レンズ２００Ｂは、光学系を電気的に駆動しない仕様のレンズであって、ユーザの操作によってフォーカスレンズ２２２Ｂの位置を調整可能なフォーカスリング２６０Ｂと、ユーザの操作によって絞り機構２５１Ｂの開度を変更可能な絞り環２５５Ｂとを備えているレンズである。また、図４に示す交換レンズ２００Ｂは、レンズ制御部、光学系駆動部、および電気的な接続端子を備えていない点で、図３に示す交換レンズ２００と異なる。
なお、交換レンズ２００Ｂにおいては、ユーザによって絞り環２５５Ｂが操作されることにより、絞り機構２５１Ｂの絞り開口径（開度、絞り値）が変更される。そのため、アダプター制御部３１０は、絞り機構２５１Ｂの絞り開口径（開度、絞り値）が変更されることに応じて位置が移動する絞りレバー２５２Ｂの位置に干渉しない位置（移動を妨げない位置）である退避位置に、絞り連動レバー３５０を制御する。
これにより、交換レンズ２００Ｂは、アダプター３００を介してカメラボディ１００と接続することが可能であり、交換レンズ２００Ｂの仕様に応じてマニュアル操作によって機能させることができる。
この交換レンズ２００Ｂを、以下の記述において、非ＣＰＵレンズとも称する。
【００７３】
（電磁絞り式ＣＰＵレンズ）
また、図５に示すように、絞り機構２５１Ｃを電気的に駆動する電磁絞り式の交換レンズ２００Ｃを、アダプター３００を介してカメラボディ１００と接続して機能させることも可能である。
図５は、電磁絞り式の交換レンズ２００Ｃを備えているカメラシステム１Ｃの構成の一例を示す概略ブロック図である。同図において図３の各部に対応する部分には同一の符号を付け、その説明を省略する。
この図において、カメラボディ１００と交換レンズ２００Ｃとは、アダプター３００を介して装着されている。
図５に示す交換レンズ２００Ｃは、図３に示す交換レンズ２００が絞りレバー２５２を有する絞りユニット２５０を備えているのに対して、絞り駆動部２３３Ｃを有する電磁絞りユニット２５０Ｃ備えている点で異なる。
【００７４】
例えば、交換レンズ２００Ｃは、電磁絞りユニット２５０Ｃ（ＥＭＤ(Ｅｌｅｃｔｒｏ−ｍａｇｎｅｔｉｃ Ｄｉａｐｈｒａｇｍ)）を備えているレンズである。この電磁絞りユニット２５０Ｃは、絞り機構２５１Ｃと絞り駆動部２３３Ｃとを備えている。
絞り駆動部２３３Ｃは、レンズ制御部２１０Ｃが備えている光学系制御部２１１Ｃの制御により、絞り機構２５１Ｃの絞り開口径（開度、絞り値）を電気的に駆動して変更する。また、絞り駆動部２３３Ｃは、例えば、絞り駆動用アクチュエータを含んで構成されている。
なお、この図に示す構成においてアダプター３００が絞り機構２５１Ｃを制御する場合、アダプター制御部３１０は、絞り連動レバー駆動部３３０を制御するのに代えて、レンズ制御部２１０Ｃと通信することにより絞り駆動部２３３Ｃを介して絞り機構２５１Ｃを制御する。
これにより、交換レンズ２００Ｃは、アダプター３００を介してカメラボディ１００と接続することが可能であり、カメラ制御部１１０は、アダプター制御部３１０を介してレンズ制御部２１０Ｃと通信することにより、交換レンズ２００Ｃを機能させることができる。
この交換レンズ２００Ｃを、以下の記述において、電磁絞り式ＣＰＵレンズとも称する。
【００７５】
＜状態遷移の説明＞
次に、本実施形態による処理について説明する。
まず、図６を参照して本実施形態による状態遷移の概要について説明する。
図６は、本実施形態による交換レンズに係る処理の状態遷移の概要を示すフローチャートである。
【００７６】
まず、カメラボディ１００に対して、カメラボディ１００の主電源がオンされた場合、または、カメラボディ１００の主電源がオンされている状態において、アダプター３００が装着された場合、アダプター３００は、カメラボディ１００の制御により、「レンズ起動処理」を実行する（ステップＳ１００）。
ここで、「レンズ起動処理」とは、例えば、カメラボディ１００のカメラボディ側マウント１０１に対する着脱判定処理、アダプター３００の第２マウント３０２に対する装着判定処理（第２マウント３０２に対して交換レンズが装着されている状態であるか否かの判定処理）、アダプター３００およびアダプター３００に装着されている交換レンズ２００の初期化処理、各電源系統の給電制御処理、等である。また、例えば、このレンズ起動処理において、カメラボディ１００は、カメラボディ１００にアダプター３００を介して装着されている交換レンズ２００の種類や仕様（機能）の情報を取得する。
【００７７】
ステップＳ１００においてレンズ起動処理が完了すると、アダプター３００は、カメラボディ１００の制御により、「レンズ定常処理」に遷移する（ステップＳ２００）。
「レンズ定常処理」とは、例えば、レンズ起動処理が完了した後の撮影処理が可能な状態である。このレンズ定常処理において、カメラボディ１００は、例えば、アダプター３００を介して装着されている交換レンズ２００の装着状態の検出と光学系の情報の取得とを所定周期で行う「定常通信」を実行する。
【００７８】
次に、カメラボディ１００またはアダプター３００は、レンズ定常処理中において割り込み要求が生じたか否かを判定する（ステップＳ３００）。ステップＳ３００において、割り込み要求がないと判定された場合、アダプター３００は、カメラボディ１００の制御により、レンズ定常処理を継続する。一方、ステップＳ３００において、割り込み要求があると判定された場合、カメラボディ１００またはアダプター３００は、要求された割り込み処理に遷移する（ステップＳ４００）。ここで、割り込み処理とは、例えば、レリーズ操作による撮影開始処理、電源瞬断時の処理、低消費電力モードへの移行または電源オフによる電源遮断処理、ファームウェアの更新処理、等である。これらの処理のうち、ファームウェアの更新処理について、以下に詳述する。
【００７９】
＜ファームウェアの更新処理＞
アダプター３００において、アダプター制御部３１０内のファームウェアが更新される際の処理について説明する。
アダプター制御部３１０は、例えば、不図示の不揮発性メモリー（不揮発性の記憶部）およびＣＰＵを備えている。そして、そのメモリーには、アダプター３００が備えている各部を制御するファームウェアとしてのソフトウェアプログラムが記憶されている。
例えば、アダプター制御部３１０は、不揮発性メモリーに記憶されているソフトウェアプログラムに従って、カメラ制御部１１０またはレンズ制御部との間でそれぞれ通信処理を行う制御、アダプター３００内または交換レンズ２００に対する各種駆動の制御や給電制御等を実行する。
上述のような構成において、アダプター制御部３１０が備えている不揮発性メモリーに記憶されているソフトウェアプログラムが更新される処理について説明する。
【００８０】
アダプター制御部３１０は、カメラボディ１００からの制御指令に応じて、ソフトウェアプログラムの更新を行う場合、更新を実行している期間も交換レンズ２００に対する給電をアダプター電源部３２０に継続させる。
ここで、アダプター制御部３１０は、ソフトウェアプログラムの更新を実行している期間も交換レンズ２００に対する給電を継続した場合、例えば、ソフトウェアプログラムの更新中に交換レンズ２００が第２マウント３０２から取り外されたとしても給電の遮断処理を行うことができない場合がある。また、アダプター３００と交換レンズ２００とが接続（装着）されている状態においてアダプター３００の接続端子３０２ｓおよび交換レンズ２００の接続端子２０１ｓそれぞれの接続端子が互いに対をなして接続されているのに対して、取り外される際には互いに接続されるべきでない接続端子と接触する場合がある。このような場合、アダプター３００から交換レンズ２００に対して意図しない給電または不要な信号の供給がされることがあるため、望ましくない。
【００８１】
そこで、アダプター制御部３１０は、ソフトウェアプログラムの更新を実行している期間、第２マウント３０２に装着されている交換レンズ２００の取り外しを抑止する。例えば、アダプター制御部３１０は、ソフトウェアプログラムの更新を実行している期間、図３を用いて説明したレンズ着脱機構部３６０が有する保持機構３６２により、第２マウント３０２に装着されている交換レンズ２００の装着状態が保持されている保持状態を、解除機構３６３により解除できないように制御する。
【００８２】
一例としては、アダプター制御部３１０は、保持機構３６２により交換レンズ２００の装着状態が保持されている保持状態を、解除機構３６３により解除できないように制御した後に、ソフトウェアプログラムの更新を開始する。また、アダプター制御部３１０は、ソフトウェアプログラムの更新が終了した場合、保持機構３６２により交換レンズ２００の装着状態が保持されている保持状態を、解除機構３６３により解除可能なように制御する。なお、アダプター制御部３１０は、例えば抑止機構３６４を制御することにより、解除機構３６３により上述の保持状態を解除できないように制御する。
【００８３】
図７は、ファームウェア更新処理の処理シーケンスの一例を示す図である。
この図を参照して、アダプター３００がファームウェアとして備えているソフトプログラムが更新される処理について説明する。
【００８４】
ファームウェアの更新処理は、ファームウェア更新開始判定（ステップＳ６５０）、レンズ機能終了（ステップＳ４１０）、シャットダウン（ステップＳ４２０）、ファームウェア更新処理（ステップＳ６６０）の順に処理が行われる。
【００８５】
まず、カメラボディ１００は、例えば、ユーザからのファームウェアの更新開始を指示する操作を検出することにより、ファームウェア更新開始判定（ステップＳ６５０）の処理を行う。
ファームウェア更新開始判定（ステップＳ６５０）の処理において、第１カメラ通信部１１２は、ファームウェアの更新開始を要求する制御指令である更新開始要求コマンドを第１アダプター通信部３１２に送信する（ステップＳ１６５０）。第１アダプター通信部３１０は、更新開始要求コマンドを受信したことに応じて、アダプター３００に記憶されているファームウェアの情報を第１カメラ通信部１１２に応答する。ここで、ファームウェアの情報とは、ファームウェアのファイル形式、ファームウェアのＩＤ、ファームウェアのバージョン等を示す情報である。
第１カメラ通信部１１２は、第１アダプター通信部３１２から応答されたファームウェアの情報を取得する（ステップＳ１６５２）。
【００８６】
次に、カメラ制御部１１０は、第１カメラ通信部１１２により取得したファームウェアの情報と、更新用のファームウェアの情報（更新用のソフトウェアプログラムの情報）とに基づいて、ファームウェアの更新処理の開始判定を行う（ステップＳ１６５４）。例えば、カメラ制御部１１０は、ファームウェアのファイル形式、ファームウェアのＩＤ、ファームウェアのバージョン等を示す情報に基づいて、更新処理の開始が可能であるか否かを判定する。
【００８７】
ステップＳ１６５４において、更新処理の開始が不可能であると判定された場合、カメラ制御部１１０は、エラー処理を実行して処理を終了する（ステップＳ１６４０）。ここで、エラー処理とは、例えば、更新不可能であることを示す表示または音等により、更新エラーであることをユーザに通知する処理である。
一方、ステップＳ１６５４において、更新処理の開始が可能であると判定された場合、カメラ制御部１１０は、ステップＳ４１０に処理を進める。
【００８８】
ステップＳ４１０において、第１カメラ通信部１１２は、第１アダプター通信部３１２を介して第１レンズ通信部２１２と通信することにより、交換レンズ２００の機能動作を停止させる。
次に、アダプター制御部３１０は、第２マウント３０２に装着されている交換レンズ２００の装着状態が保持されている保持状態を解除できないようにレンズ着脱機構部３６０（抑止機構３６４）を制御する。すなわち、アダプター制御部３１０は、交換レンズ２００の装着状態をロックする（ステップＳ２６５５）。
続いて、ステップＳ４２０のシャットダウンの処理において、第１カメラ通信部１１２は、シャットダウン要求として、シャットダウン実行コマンドを第１アダプター通信部３１２に送信する（ステップＳ１２２０）。アダプター制御部３１０は、第１アダプター通信部３１２によりシャットダウン実行コマンドが受信されたことに応じて、レンズシャットダウン処理を開始する（ステップＳ２２２０）。まず、第１アダプター通信部３１２は、レンズ駆動系電源Ｖｐの給電不可を指示するコマンドを第１レンズ通信部２１２に送信する。第１レンズ通信部２１２により、このコマンドが受信されることに応じて、レンズ制御部２１０は、交換レンズ２００内におけるレンズ駆動系電源Ｖｐの電圧の供給（給電）を停止させる（ステップＳ３２２０）。次に、アダプター制御部３１０は、アダプター電源部３２０からのレンズ駆動系電源Ｖｐの給電を停止させる。なお、第１アダプター通信部３１２は、アダプター電源部３２０からのレンズ制御系電源Ｖｃの給電を継続させる。続いて、第１アダプター通信部３１２は、交換レンズ２００がスリープモードに移行可能な交換レンズである場合には、例えばスリープモードへの遷移指示を第１レンズ通信部２１２に送信する（ステップＳ２２２０）。このスリープモードへの遷移指示を受信することに応じて、レンズ制御部２１０は、スリープモードへ移行する（ステップＳ３２３０）。これにより、アダプター制御部３１０は、レンズシャットダウン処理を完了する。なお交換レンズ２００がスリープモードに移行できないレンズである場合には、これらステップＳ２２２０、ステップＳ３２３０に記載のスリープモード移行関連の処理は行われない。
【００８９】
次に、第１カメラ通信部１１２は、シャットダウン完了確認コマンドの応答結果として、第１アダプター通信部３１２から「シャットダウン準備完了」の応答を取得する（ステップＳ１２４０）。カメラ制御部１１０は、第１アダプター通信部３１２によりシャットダウン準備完了の応答が取得された場合、スイッチ１２５を遮断状態に制御してパワー系電源ＰＷＲの給電を停止させる（ステップＳ１２５０）。
【００９０】
次に、カメラ制御部１１０は、ファームウェア更新処理（ステップＳ６６０）に処理を進める。ファームウェア更新処理（ステップＳ６６０）において、第１カメラ通信部１１２は、更新用のソフトウェアプログラムを第１アダプター通信部３１２に送信する。更新用のソフトウェアプログラムの送信が完了した場合、第１カメラ通信部１１２は、ファームウェアの更新処理が完了したことを示す応答を取得する（ステップＳ１６６０、ステップＳ２６６０）。
【００９１】
ファームウェア更新処理（ステップＳ６６０）が完了した場合、アダプター制御部３１０は、第２マウント３０２に装着されている交換レンズ２００の装着状態が保持されている保持状態を、解除可能なようにレンズ着脱機構部３６０（抑止機構３６４）を制御する。すなわち、アダプター制御部３１０は、交換レンズ２００の装着状態のロックを解除する（ステップＳ２６６５）。
また、カメラ制御部１１０は、カメラ電源部１２０を制御して、アダプター３００に対する制御系電源Ｖｃｃ１の給電を停止させて処理を終了する（ステップＳ１６６２）。
なお、アダプター制御部３１０は、レンズシャットダウン処理（ステップＳ２２２０）の開始を指示後、レンズ駆動系電源Ｖｐの給電を停止させたが、給電を継続させるようにしてもよい。その場合、ステップＳ１５２０のパワー系電源ＰＷＲの給電停止とともに、アダプター制御部３１０は、パワー系電源ＰＷＲからのレンズ駆動系電源Ｖｐへの給電を停止されるが、制御系電源の給電は継続させる。
【００９２】
このように、アダプター３００は、ソフトウェアプログラム（ファームウェア）の更新を行う場合、ソフトウェアプログラムの更新を実行している期間、第２マウント３０２に装着されている交換レンズ２００の取り外しを抑止する。例えば、アダプター３００は、ソフトウェアプログラムの更新を実行している期間、レンズ着脱機構部３６０が有する保持機構３６２により、第２マウント３０２に装着されている交換レンズ２００の装着状態が保持されている保持状態を、解除機構３６３により解除できないように制御する（ロックする）。そして、アダプター３００は、ソフトウェアプログラムの更新を行う場合、更新を実行している期間も交換レンズ２００に対する給電をアダプター電源部３２０に継続させる。
【００９３】
つまり、アダプター３００は、ソフトウェアプログラム（ファームウェア）の更新を行う場合、更新処理の実行中に、交換レンズ２００に対して給電を継続するかわりに、交換レンズ２００が取り外されることを抑止する。これにより、アダプター３００からの交換レンズ２００に対する意図しない不要な給電または不要な信号の供給などを防止することができる。よって、アダプター３００は、ファームウェアが更新される場合、交換レンズ２００のハードウェアを保護することができる。また、アダプター３００は、ソフトウェアプログラムの更新を行う場合に、例えば、交換レンズ２００に対して給電を停止するような給電制御をする必要がないため、処理を簡略化することができる。また、アダプター３００は、ソフトウェアプログラムの更新を行う場合に、交換レンズ２００に対してレンズ制御系電源Ｖｃの給電を継続することにより、レンズ制御部２１０における制御を完全に停止させることなくスリープモードで動作を継続させる。これにより、例えば、カメラシステム１がソフトウェアプログラムの更新処理が終了した場合にスリープモードから定常状態へ復帰（起動）させる処理を実行する場合には、レンズ制御部２１０は、完全に処理を停止している場合に比較して、短い時間で復帰（起動）することができる。
このように、互いに異なる通信規格の交換レンズとカメラボディ１００との間に接続（装着）可能なアダプター３００のファームウェアを、適切に更新させることができる。
【００９４】
なお、上述のファームウェアの更新処理は、アダプター制御部３１０が備えているメモリーに記憶されているソフトウェアプログラムが更新される処理に限られるものではない。
例えば、ファームウェアの更新処理は、ソフトウェアプログラムの処理において参照されるデータ等の情報が更新される処理であってもよい。
【００９５】
なお、上記実施形態のファームウェアの更新処理において、アダプター制御部３１０は、ファームウェア（ソフトウェアプログラム）の更新が完了した場合、およびファームウェア（ソフトウェアプログラム）の更新が完了せずに中断した場合の何れにおいても、ファームウェア（ソフトウェアプログラム）の更新を終了する。例えば、ファームウェア（ソフトウェアプログラム）の更新が完了せずに中断した場合、例えば、アダプター制御部３１０が備えているメモリーに記憶されているソフトウェアプログラムが正常に更新されなかった場合、アダプター制御部３１０は、その後の処理である交換レンズ２００の装着状態のロック（装着状態が保持されている保持状態を解除できないようにしているロック）を解除する処理（図７のステップＳ２６６５）を正常に実行できない場合がある。その場合、アダプター制御部３１０は、交換レンズ２００の装着状態をロック（装着状態が保持されている保持状態を解除できないように）している（図７のステップＳ２６５５）ため、第２マウント３０２に装着されている交換レンズ２００を取り外すことができなくなる場合がある。
そこで、アダプター３００は、交換レンズ２００の装着状態のロックを、ユーザの操作により解除可能な機構を備える構成としてもよい。例えば、交換レンズ２００の装着状態が保持されている保持状態を解除できないような第１の位置（ロックピン３６１の移動を妨げる位置）に制御されている抑止機構３６４の抑止部を、第２の位置（ロックピン３６１の移動を妨げない位置）に、ユーザの操作により移動可能な機構が、アダプター３００のレンズ着脱機構部３６０に備えられている構成としてもよい。
これにより、アダプター３００は、例えば、ファームウェア（ソフトウェアプログラム）の更新が正常に更新されずに中断した場合であって、交換レンズ２００の装着状態のロックを解除する処理を正常に実行できなかった場合でも、ユーザの操作により交換レンズ２００の装着状態のロックを解除することが可能である。よって、アダプター３００は、第２マウント３０２に装着されている交換レンズ２００を取り外すことができなくなることを防止することができる。
【００９６】
なお、アダプター３００は、交換レンズ２００が第２マウント３０２に装着されて保持されている保持状態であるか否かの状態に応じて、交換レンズ２００との間を電気的に接続可能なアダプター３００の接続部３０２ｓと交換レンズ２００の接続部２０１ｓとの接続状態を、導通状態（導通している状態）と非導通状態（導通していない遮断状態）とに切替えてもよい。例えば、レンズ着脱スイッチ３０６は、接続部３０２ｓと接続部２０１ｓとの間の電気的な接続状態を切替えるスイッチを兼用してもよい。すなわち、アダプター３００は、交換レンズ２００の装着を保持している保持状態を解除する解除機構３６３と、接続部３０２ｓと接続部２０１ｓとの間の電気的な接続状態を導通状態から非導通状態に切替える機構と、を連動可能な連動機構を備えている構成としてもよい。
なお、接続部３０２ｓが接続部２０１ｓと導通状態となるように接続されている場合には、接続部３０２ｓの各接続端子が接続部２０１ｓのそれぞれ対となる接続端子に接触する方向に付勢され、非導通状態となるように接続を遮断する場合には、上述の連動機構により、接続部３０２ｓの各接続端子の付勢が解除されて、接続部２０１ｓのそれぞれ対となる接続端子に接触しないように接続が遮断されるようにしてもよい。
これにより、交換レンズ２００が第２マウント３０２に装着されて保持されている保持状態である場合は、接続部３０２ｓと接続部２０１ｓとが導通状態になるように接続され、レンズ着脱スイッチ３０６により交換レンズ２００の保持状態が解除された場合は、接続部３０２ｓと接続部２０１ｓとが非導通状態となるように接続が遮断される。
このように、保持機構３６２により交換レンズ２００の装着状態が保持されている保持状態から、解除機構３６３により上述の保持状態が解除された場合、交換レンズ２００に対して給電が不可能なように解除機構３６３に連動して（レンズ着脱スイッチ３０６が操作されることに連動して）接続部３０２ｓが交換レンズ２００と非導通状態になる連動機構を、アダプター３００が備える構成としてもよい。
この構成によれば、アダプター３００は、第２マウント３０２に装着されている交換レンズ２００に対して給電を継続しながらファームウェア（ソフトウェアプログラム）の更新処理を実行する場合に、更新中の期間に交換レンズ２００が第２マウント３０２から取り外された場合であっても、交換レンズ２００に対する接続状態を遮断して、意図しない給電または不要な信号の供給がされることを防ぎ、交換レンズ２００のハードウェアを保護することができる。
【００９７】
なお、上記実施形態において、アダプター３００が、カメラボディ１００から供給された電圧から、交換レンズ２００に供給する電圧を生成して交換レンズ２００へ給電する例を説明したが、これに限られるものではない。アダプター３００は、アダプター３００内に電池を搭載し、この搭載した電池からの給電により交換レンズ２００に供給する電圧を生成して交換レンズ２００へ給電する構成としてもよい。ここで、アダプター３００内に搭載される電池は、２次電池であってもよいし１次電池であってもよい。
また、アダプター３００は、ファームウェア（ソフトウェアプログラム）の更新中の期間に、レンズ制御部２１０に給電するレンズ制御系電源Ｖｃのみに限らず、レンズ駆動系電源Ｖｐも生成して、レンズ制御系電源Ｖｃまたはレンズ駆動系電源Ｖｐを交換レンズ２００に給電してもよい。
【００９８】
以上のように、本実施形態によれば、レンズ交換式のカメラシステムにおいて、互いに異なる通信規格の交換レンズとカメラボディ１００との間に接続（装着）可能なアダプター３００のファームウェアを適切に更新させることができる。よって、レンズ交換式のカメラシステムにおいて、様々な種類の光学系を適切に機能させることができる。
【００９９】
なお、図３、図４、および図５に示す、交換レンズ２００とカメラボディ１００とがアダプター３００のみを介して接続されている構成に限られるものではない。
例えば、交換レンズ２００とカメラボディ１００とが、アダプター３００と他の変換アダプター（テレコンバータ等）とを介して交換レンズ２００に接続されている構成としてもよい。
また、上記実施形態のアダプター３００は、光学系を備えていない構成であるが、光学系を備えている構成としてもよい。
【０１００】
なお、図１におけるカメラ制御部１１０、レンズ制御部２１０、またはアダプター制御部３１０は、それぞれ専用のハードウェアにより実現されるものであってもよく、また、メモリーおよびＣＰＵ（Central Processing Unit）により構成され、上述のカメラ制御部１１０、レンズ制御部２１０、およびアダプター制御部３１０のそれぞれの機能を実現するためのプログラムをメモリーにロードして実行することによりその機能を実現させるものであってもよい。
【０１０１】
また、上述のカメラ制御部１１０、レンズ制御部２１０、またはアダプター制御部３１０それぞれの機能を実現するためのプログラムをコンピュータ読み取り可能な記録媒体に記録して、この記録媒体に記録されたプログラムをコンピュータシステムに読み込ませ、実行することにより上述の各部の処理をそれぞれ行ってもよい。なお、ここでいう「コンピュータシステム」とは、ＯＳや周辺機器等のハードウェアを含むものとする。
【０１０２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１０３】
以上、この発明の実施形態を図面を参照して詳述してきたが、具体的な構成はこの実施形態に限られるものではなく、この発明の要旨を逸脱しない範囲の設計等も含まれる。
【符号の説明】
【０１０４】
１  カメラシステム、１００  カメラボディ、１１０  カメラ制御部、２００  交換レンズ、３００  アダプター、３０１  第１マウント（第１マウント部）、３０２  第２マウント（第２マウント部）、３１０  アダプター制御部、３６０レンズ着脱機構部（レンズ着脱機構）、３６２  保持機構、３６３  解除機構、３６４  抑止機構
【図１】
2013068649.tif 000003
【図２】
2013068649.tif 000004
【図３】
2013068649.tif 000005
【図４】
2013068649.tif 000006
【図５】
2013068649.tif 000007
【図６】
2013068649.tif 000008
【図７】
2013068649.tif 000009